(57)【要約】【課題】引き出し式の貯蔵室において、移動レールと固定レールを予め組み込んだ状態で取り付けるレール装置の断熱箱体への取り付け性、取り外し性を向上させる。【解決手段】引出扉２０１とともに容器を前後に移動可能とする移動レール２０３と、第２の鉤形状部２３３を備えた固定レール２２２と、移動レール２０３と固定レール２２２とを予め組み込んだ状態のレール装置２０２を引出扉２０１に固定した後、第２の鉤形状部２３３と貯蔵室の底面に設けた前方凹部に係合させることにより、レール装置２０２の貯蔵室への取り付け性、取り外し性が向上する。【選択図】図６
2013204829.tif 000002
【特許請求の範囲】
【請求項１】
内箱と外箱と前記内箱と前記外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、突起部を備えた固定レールとを備え、前記移動レールと固定レールとを予め組み込んだ状態で前記引出扉に固定し、前記突起部と前記貯蔵室の底面に設けた係止部とにより、前記レール装置を前記断熱箱体に固定することを特徴とする冷蔵庫。
【請求項２】
前記突起部は、前記固定レールの端部に設けられたことを特徴とする請求項１に記載の冷蔵庫。
【請求項３】
前記固定レールは、前記内箱を上下方向に区画する仕切壁の上面に固定されたことを特徴とする請求項１に記載の冷蔵庫。
【請求項４】
前記固定レールと前記移動レールとの間に中間レールを備え、前記中間レールと前記固定レールおよび前記移動レールとを回転支持部材で支持することを特徴とする請求項１に記載の冷蔵庫。
【発明の詳細な説明】
【技術分野】
【０００１】
本発明は、冷蔵庫に関し、特に引き出し式の貯蔵室を形成する引き出し構造に関するものである。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室を出し入れする際の円滑性などが求められている。
【０００３】
そこで、移動レールと固定レールを予め組み込んだ状態のレール装置を用いることで、滑らかに移動レールが移動させ、引出の操作性を向上させる技術が開示されている（例えば、特許文献１参照）。
【０００４】
図９は、従来の冷蔵庫の引き出し式の貯蔵室の概略組立図である。野菜室に設けられた容器（図示せず）は、２つのレール装置に支持される。
【０００５】
レール装置は、固定レール２２２と、移動レール２０３とを予め組み込んだ状態で、固定レール２２２を、断熱箱体の左右の側壁にそれぞれ固定する。一方、扉支持部材２０５は、左右それぞれ別々に野菜室扉３２９に連結固定される。
【０００６】
そして、野菜室扉３２９に扉支持部材２０５を連結固定した状態で、レール装置の移動レール２０３と扉支持部材２０５とを、固定穴３３４ｅと取付ネジ３３４ｄにより連結固定する。その後、扉支持部材２０５の上方から容器を載置する。
【０００７】
これにより、野菜室は、断熱箱体に対して出し入れ可能な引き出し式の貯蔵室となる。
【先行技術文献】
【特許文献】
【０００８】
【特許文献１】特開２００６−１７７６５３号公報
【発明の概要】
【発明が解決しようとする課題】
【０００９】
しかしながら、前記従来の構成では、引き出し式の貯蔵室の組立時には、レール装置を断熱箱体に固定する一方、野菜室扉３２９に扉支持部材２０５を固定し、その後、扉支持部材２０５に固定することとなるため、３段階に固定作業が必要となり、組み立て作業が煩雑となるという課題があった。
【００１０】
また、修理時などにレール装置を取り外したい場合には、まず、取付ネジ３３４ｄを外し、移動レール２０３から扉支持部材２０５を取り外す必要があり、作業性が悪いという課題があった。
【００１１】
本発明は、上記従来の課題を解決するもので、引き出し式の貯蔵室において、移動レールと固定レールを予め組み込んだ状態で取り付けるレール装置の断熱箱体への取り付け性、取り外し性を向上させた冷蔵庫を提供することを目的とする。
【課題を解決するための手段】
【００１２】
上記従来の課題を解決するために、本願発明の冷蔵庫は、内箱と外箱と前記内箱と前記
外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、突起部を備えた固定レールとを備え、前記移動レールと固定レールとを予め組み込んだ状態で前記引出扉に固定し、前記突起部と前記貯蔵室の底面に設けた係止部とにより、前記レール装置を前記断熱箱体に固定するものである。
【００１３】
これによれば、移動レールと固定レールを予め組み込んだ状態で取り付けるレール装置であっても、レール装置を引出扉とともに容易に取り付け、取り外すことができるので、レール装置の取り付け性、取り外し性を向上できる。
【発明の効果】
【００１４】
本発明の冷蔵庫は引き出し式の貯蔵室において、レール装置の取り付け性、取り外し性を向上させることができる。
【図面の簡単な説明】
【００１５】
【図１】本発明の実施の形態１における冷蔵庫の正面図
【図２】本発明の実施の形態１における冷蔵庫の断面図
【図３】本発明の実施の形態１における冷蔵庫のレール装置を示す斜視図
【図４】本発明の実施の形態１における冷蔵庫の引出扉と扉フレームを示す斜視図
【図５】本発明の実施の形態１における冷蔵庫のレール装置の取り付け方法の説明図
【図６】本発明の実施の形態１における冷蔵庫のレール装置を取り付けた状態の説明図
【図７】本発明の実施の形態１における冷蔵庫の冷凍室における仕切壁とレール装置の取付部を示す断面図
【図８】本発明の実施の形態１における冷蔵庫の野菜室における内壁とレール装置の取付部を示す断面図
【図９】従来の冷蔵庫におけるレール装置の概略組立図
【発明を実施するための形態】
【００１６】
第１の発明は、内箱と外箱と前記内箱と前記外箱との間に充填した断熱材とよりなる断熱箱体と、前記断熱箱体の内方に形成され前面に開口部を備えた貯蔵室と、前記貯蔵室の内部に設けられ上面が開口する容器と、前記開口部を開閉自在に閉塞する引出扉と、前記引出扉とともに前記容器を前後に移動可能とする移動レールと、突起部を備えた固定レールとを備え、前記移動レールと固定レールとを予め組み込んだ状態で前記引出扉に固定し、前記突起部と前記貯蔵室の底面に設けた係止部とにより、前記レール装置を前記断熱箱体に固定するものである。
【００１７】
これによれば、固定レールと移動レールとを予め組み込んだ状態のレール装置を適用することにより、固定レールと移動レールとのクリアランスを小さくすることができ、ガタの少ない高品位な引出しを構成することができる。さらに、移動レールと固定レールを予め組み込んだ状態で取り付けるレール装置であっても、突起部と係止部とによりレール装置を断熱箱体に固定することにより、レール装置を引出扉とともに容易に取り付け、取り外すことができるので、レール装置の取り付け性、取り外し性を向上できる。
【００１８】
第２の発明は、特に、第１の発明において、突起部を、前記固定レールの端部に設けることで、突起部を容易に固定レールに構成できるとともに、レール装置の断熱箱体への取り付け、取り外しが容易になる。
【００１９】
第３の発明は、特に、第１の発明において、固定レールを、内箱を上下方向に区画する
仕切壁の上面に固定することで、係止部を容易に仕切壁に構成できるとともに、レール装置の断熱箱体への取り付け、取り外しが容易になる。
【００２０】
第４の発明は、特に、第１の発明において、固定レールと移動レールとの間に中間レールを備え、中間レールと固定レールおよび移動レールとを回転支持部材で支持するものである。これによれば、固定レールと移動レールとの間を回転支持部材で支持することにより、容器に荷重を加えた場合でも滑らかに移動レールが移動できるので引出しの操作力を低減することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における冷蔵庫の正面図である。
【００２３】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００２４】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００２５】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００２６】
また、冷蔵室１０２の下方に配置される製氷室１０５、切換室１０６、野菜室１０３、および冷凍室１０４は引き出し式の収納空間となされている。
【００２７】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００２８】
冷蔵室１０２は、冷蔵保存のために収容物が凍らない程度の低い温度に維持される貯蔵室である。具体的な温度の下限としては、通常１〜５℃で設定されている。
【００２９】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体な温度の下限としては、２℃〜７℃である。なお、低温にするほど葉野菜の鮮度を長期間維持することが可能である。
【００３０】
冷凍室１０４は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００３１】
製氷室１０５は、内方に製氷機（図示せず）を設け製氷機で氷を作りその氷を保存する貯蔵室である。設定温度は冷凍室１０４とほぼ同等である。
【００３２】
切換室１０６は、冷蔵庫１００に取り付けたれた操作盤により、用途に応じ冷蔵温度帯から冷凍温度帯まで切り換えることができる。
【００３３】
図２は、本発明の実施の形態１における冷蔵庫の縦断面図であり、図１におけるＡ−Ａ線で断面を示している。
【００３４】
図２に示すように、異なる温度帯の貯蔵室を区画するために、各貯蔵室の間に仕切壁１０８が設置されている。冷蔵庫１００に備えられる貯蔵室のうち引き出し式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。
【００３５】
引出扉２０１は、貯蔵室の開口を開閉自在に閉塞することができる断熱性を備えた板状の部材であり、奥側周縁にパッキン２０７を備えている。パッキン２０７は、引出扉２０１が貯蔵室の開口を閉塞した状態で断熱箱体１０１等と密着し、冷気が漏れるのを防いでいる。また、引出扉２０１の正面上部には、貯蔵室を手前に引き出すときに手を掛ける手掛部２０１ａを備えている。
【００３６】
引出扉２０１には、扉支持部材としての扉フレーム２０５が引出扉２０１に対して垂直突出状に取り付けられている。そして、扉フレーム２０５は、レール装置２０２に取り付けられている。
【００３７】
図３は、本発明の実施の形態１における冷蔵庫のレール装置を示す斜視図である。
【００３８】
図３に示すように、レール装置２０２は、三段に重ねられた三つのレールを有し、第２レール（ミドルレール２２１）が第１レール（キャビネットレール２２２）に対して移動可能であり、かつ、第３レール（トップレール２０３）が第２レール（ミドルレール２２１）に対して移動可能であることにより、全体として伸縮可能である。
【００３９】
キャビネットレール２２２は、内箱１１０の側面または底面に固定された「固定レール」であり、トップレール２０３とミドルレール２２１とが、固定レールに対し移動可能に設けられた「移動レール」である。
【００４０】
キャビネットレール２２２の後端部には、本発明における第１の突起部としての第１の鉤形状部２３１が一体に形成されている。第１の鉤形状部２３１は、キャビネットレール２２２の下面の一部が延長され、その延長部分を折り曲げて形成されており、キャビネットレール２２２の下面に対して略垂直に立ち上がる垂直部２３１ａと垂直部２３１ａの先端に設けられキャビネットレール２２２の下面に対して略水平に、前方に曲げられた水平部２３１ｂとから形成されている。水平部２３１ｂの長さは、垂直部２３１ａの高さより長くなるように構成されている。
【００４１】
キャビネットレール２２２の中央部には、本発明における第２の突起部としての中央突起部２３２が一体に形成されている。中央突起部２３２は、キャビネットレール２２２の下面の一部を切り欠き、その切り欠き部分を折り曲げて、キャビネットレール２２２の側面から延長され、下方に突出するように形成されている。
【００４２】
トップレール２０３の上面には、扉フレーム２０５と固定するための第２の鉤形状部２３３と固定穴２３４とが設けられている。第２の鉤形状部２３３は、トップレール２０３の上面の一部を略コの字状に切り欠き、その切欠きを切り起して形成されており、トップレール２０３の上面に対して略垂直に立ち上がる垂直部２３２ａと垂直部２３２ａの先端
に設けられトップレール２０３の上面に対して略水平に、前方に曲げられた水平部２３２ｂとから形成されている。水平部２３２ｂの長さは、垂直部２３２ａの高さより長くなるように構成されている。
【００４３】
固定穴２３４は、トップレール２０３の前端から固定穴２３４の強度の確保上必要な長さを確保し、かつ／または、扉フレーム２０５に設けられた丸穴と対応するように設けられたネジ穴である。
【００４４】
次に、引出扉２０１と扉フレーム２０５の取り付けについて説明する。図４は、本発明の実施の形態１における引出扉と扉フレームとを接続した状態を示す斜視図である。
【００４５】
図４に示すように、扉フレーム２０５は、引出扉２０１の上下方向中央部より下方、かつ左右方向両端部に接続されている。
【００４６】
引出扉２０１には、背面のほぼ全面を覆う内側板２１１側に、扉フレーム２０５が固定されている。内側板２１１は、引出扉２０１を構成する部材の一つであり、真空成形により形成される板状の部材である。
【００４７】
内側板２１１は主に樹脂によって成型されているため、内側板２１１に直接ビスで固定しても、扉フレーム２０５にかかる荷重に耐え得る強度が確保できない。そこで、扉フレーム２０５を確実に固定する手段として、扉フレーム２０５を、内側板２１１を介して、引出扉２０１内の断熱材に埋設した補強板（図示せず）にビス等により固定されている。
【００４８】
補強板は、内側板２１１の上下方向に延在し、主に鉄などの金属材料によって形成される。補強板は、左右の扉フレーム２０５に対応して、独立して２枚、設けられている。
【００４９】
扉フレーム２０５は、トップレール２０３の上面を覆う上面部２８２と、トップレール２０３の庫外側の側面を覆う側面部２８３とを備えている。上面部２８２、側面部２８３の全長はトップレール２０３の全長より短いことが、レール装置２０２の断熱箱体１０１への取り付け性を容易にする上で望ましい。
【００５０】
上面部２８２の庫内側の端部は略直角に切り起され、側面部２８３と略並行となる本体部２８４が形成されている。本体部２８４の前端部には、本体部２８４より上方に突出した拡大部２８１を備えている。拡大部２８１の前端には、端縁が引出扉２０１の内側板２１１に沿うように折り曲げられた折曲部２４１を備えている。折曲部２４１は、折曲部２４１の上端が引出扉２０１の高さ方向の中央より下方に位置するように引出扉２０１に取り付けられる。また、トップレール２０３の基端部より上方の引出扉２０１の部分に取り付けられる。
【００５１】
拡大部２８１を折曲部２４１と扉フレーム２０５との間に設けることで、扉フレーム２０５と引出扉２０１との固定部の大きさを高さ方向に大きくすることとなり、引出扉２０１に対して下部に取り付けられているレール装置２０２と引出扉２０１との取付部の強度不足を補うことができる。すなわち、引出扉２０１、特に引出扉２０１の上端部を持って引き出したり押し戻したりしたときに発生する応力が、扉フレーム２０５の前端部に集中するのを緩和することができる。
【００５２】
本体部２８４の上端には、上面部２８２に対して略水平となるように折り曲げて形成されたフランジ部２８５を備えている。フランジ部２８５には、フランジの一部を切り欠いたフランジ切欠部２８５ａが設けられている。このフランジ切欠部２８５ａに容器２０６の一部を差し込むことで、容器２０６を固定できる。
【００５３】
上面部２８２には、トップレール２０３と固定するための矩形穴２８６と丸穴２８７とが設けられている。矩形穴２８６は、トップレール２０３に設けられた第２の鉤形状部２３３が嵌め込まれるのに十分な大きさを有している。
【００５４】
丸穴２８７は、上面部２８２の前端から丸穴２８７の強度の確保上必要な長さを確保し、かつ／または、トップレール２０３に設けられた固定穴２３４と対応するように設けられた穴である。
【００５５】
矩形穴２８６に対応する位置の本体部２８４には、本体切欠部２８８が形成されている。本体切欠部２８８は、本体部２８４の一部を略コの字状に切り欠き、その切欠きを切り起して、本体部２８４に対して略垂直に、庫外側に曲げて形成されている。
【００５６】
ここで、扉フレーム２０５とトップレール２０３との固定方法について説明する。まず、トップレール２０３に設けられた第２の鉤形状部２３３を扉フレーム２０５の矩形穴２８６に引っ掛ける。すなわち、第２の鉤形状部２３３の垂直部２３２ａを矩形穴２８６から、扉フレーム２０５の上面部２８２上方に貫通させ、扉フレーム２０５をトップレール２０３に対し相対的に前方にずらすことで、第２の鉤形状部２３３の水平部２３１ｂを矩形穴２８６の前端部上面に移動させる。次に、扉フレーム２０５の上面部２８２上方から、扉フレーム２０５の丸穴２８７を介して、トップレール２０３に設けられた固定穴２３４に、ネジをねじ込む。
【００５７】
これにより、扉フレーム２０５とトップレール２０３とは、第２の鉤形状部２３３と矩形穴２８６とで固定さる箇所と、矩形穴２８６と丸穴２８７とネジとで固定される箇所の２箇所により確実に固定される。少なくとも一方の箇所の固定方法を、第２の鉤形状部２３３と矩形穴２８６とからなる引っ掛ける方式とすることで、扉フレーム２０５のトップレール２０３への取り付け、取り外しが容易になる。
【００５８】
また、本体切欠部２８８が、矩形穴２８６および上面部２８２の上面に突出した第２の鉤形状部２３３の水平部２３２ｂを覆うので、矩形穴２８６や第２の鉤形状部２３３で手や指が傷つくことを防止でき、安全性が向上するとともに、外観意匠の向上が図れる。
【００５９】
なお、第２の鉤形状部２３３、固定穴２３４が、トップレール２０３の側面に設けられており、矩形穴２８６、丸穴２８７が、側面部２８３や本体部２８４に設けられていてもよい。
【００６０】
レール装置２０２の断熱箱体１０１への取り付けについて説明する。図５は、本発明の実施の形態１におけるレール装置の取り付け方法の説明図であり、図６は、レール装置を取り付けた状態の説明図である。
【００６１】
まず、断熱箱体１０１側の取付部の構造について説明する。
【００６２】
図５、図６に示すように、断熱箱体１０１における貯蔵室の底面を構成する底には、キャビネットレール２２２の第１の鉤形状部２３１と中央突起部２３２とのそれぞれに対応する箇所に、底面から下方に窪んだ後方凹部２５１と前方凹部２５２が設けられている。後方凹部２５１は、第１の鉤形状部２３１が挿入できる十分な大きさを有している。また、後方凹部２５１の前端には、キャビネットレール２２２の下面と第１の鉤形状部２３１の水平部２３１ｂとの間に挿入される後方突起部２５３が設けられている。
【００６３】
次に、レール装置２０２の取り付け方法について説明する。まず、トップレール２０３
、ミドルレール２２１をキャビネットレール２２２から引き出した状態とする。次に、キャビネットレール２２２の後端を、底面の奥側に斜め上方から差し込む。そして、第１の鉤形状部２３１を後方凹部２５１に挿入する。その後、キャビネットレール２２２が底面と略平行となるように、引出扉２０１の位置を下方に移動させる。
【００６４】
このとき、後方突起部２５３は、第１の鉤形状部２３１の前端で、かつ、水平部２３１ｂの上方に位置するとともに、中央突起部２３２の後端は、前方凹部２５２の後端の上方に位置する。最後に、キャビネットレール２２２を前方に移動させる。この結果、後方突起部２５３がキャビネットレール２２２の下面と第１の鉤形状部２３１の水平部２３１ｂとの間に挿入されるとともに、中央突起部２３２が前方凹部２５２に嵌め込まれる。これによって、レール装置２０２は断熱箱体１０１に確実に固定できる。なお、取り外しについては、上述の方法を逆に実施すればよい。
【００６５】
次に、断熱箱体１０１のレール装置２０２との取付部の構造について、引出式の貯蔵室のうち冷凍室１０４を例に、さらに詳しく説明する。図７は、本発明の実施の形態１における冷蔵庫の冷凍室における仕切壁とレール装置の取付部を示す断面図である。
【００６６】
まず、レール装置２０２についてさらに詳しく説明する。
【００６７】
キャビネットレール２２２の長手方向に垂直な断面形状は、左右対称ではなく、一方には、底面から一旦上方に立ち上がった後、幅方向に突出するレール取付部２２３を備えている。そして、レール取付部２２３が、野菜室１０３と冷凍室１０４とを縦方向に区画する仕切壁１０８の上面に接する。
【００６８】
ミドルレール２２１は、断面がＩの字状であり、左右に突出したフランジを長手方向の上下に有する形状である。この上下のフランジのうちの下のフランジは、キャビネットレール２２２に長手方向に移動可能に保持されている。
【００６９】
トップレール２０３は、断面がコの字状の断面形状であり、ミドルレール２２１の上のフランジを長手方向に移動可能に保持している。
【００７０】
キャビネットレール２２２とトップレール２０３のそれぞれは、回転支持部材保持部１４６により複数の回転支持部材１４５を保持しており、この回転支持部材１４５によりミドルレール２２１を移動可能に保持している。なお、回転支持部材１４５としては、ベアリングを用いることができる。
【００７１】
より詳細に説明すると、ミドルレール２２１の上下のフランジのうち、下のフランジを中心とする部分をキャビネットレール２２２が複数の回転支持部材１４５を介して三方向から保持している。
【００７２】
また、ミドルレール２２１の上フランジを中心とする部分をトップレール２０３が複数の回転支持部材１４５を介して三方向から保持している。
【００７３】
キャビネットレール２２２、ミドルレール２２１およびトップレール２０３がこのように組み合わされていることにより、ミドルレール２２１は、キャビネットレール２２２上をその長手方向に移動可能である。さらに、トップレール２０３は、ミドルレール２２１上をその長手方向に移動可能である。つまり、トップレール２０３は、ミドルレール２２１を介してキャビネットレール２２２上をその長手方向に移動可能である。
【００７４】
また、ミドルレール２２１およびトップレール２０３は、複数の回転支持部材１４５が
回転することによりスムーズに移動することができる。
【００７５】
トップレール２０３、ミドルレール２２１、キャビネットレール２２２、回転支持部材１４５は、予め組み込んだ状態で、引出扉２０１に取り付けられる。
【００７６】
次に、仕切壁１０８の内部構造について説明する。
【００７７】
図７に示すように、キャビネットレール２２２に一体に形成されたレール取付部２２３が、仕切壁１０８の両側部に設けられた上面段差部１０８ａの上部に面で当接するように配設され、第１の鉤形状部２３１により固定される。
【００７８】
このとき、取り付け面となる仕切壁１０８は主に樹脂によって成型されているため、仕切壁１０８に直接、固定しても、レール装置２０２にかかる荷重に耐え得る強度が確保できない。そこで、レール装置２０２を確実に固定する手段として、仕切壁１０８は断熱材１１１内に埋設したレール保持部材２７０を備えている。
【００７９】
レール保持部材２７０は主に鉄などの金属材料によって形成される。また、レール保持部材２７０を、あらかじめ仕切壁１０８の外郭内面の所定位置に固定し、その後、発泡断熱材を内箱１１０と外箱１１２との間に充填しに断熱材１１１内に埋没させることにより、レール保持部材２７０の保持力をより向上させることが可能となる。また、レール保持部材２７０は、後方突起部２５３内に達していることが望ましい。
【００８０】
レール保持部材２７０は、上面段差部１０８ａの上面の内側に沿った形状のレール保持部２７０ａと、仕切壁１０８の側面の内側に沿った形状の補強手段２７０ｂを一体に形成してある。レール保持部２７０ａは断熱材１１１側から仕切壁１０８の上面段差部１０８ａに密着するように形成された横フランジ部であり、補強手段２７０ｂはレール保持部２７０ａの下部に形成された縦フランジ部である。
【００８１】
補強手段２７０ｂは、レール保持部２７０ａの側部から仕切壁１０８の側面の内側に沿って折れ曲って形成されている。さらに、補強手段２７０ｂの下端部分は外側に折れ曲って形成された折れ曲り部を有している。このように、レール保持部材２７０に折れ曲がりを設けることで、レール保持部材２７０自体の強度が向上する。さらに、補強手段２７０ｂが仕切壁１０８の側面に当接すること、補強手段２７０ｂが断熱材１１１内に食らい込むことにより、レール保持部２７０ａにかかる荷重が分散し、上面段差部１０８ａの変形を防止することができる。
【００８２】
なお、冷凍室１０４の底面壁となる仕切壁１０８は、両側部に上面段差部１０８ａが形成され、上面段差部１０８ａは仕切壁１０８の基準面となる中央部よりも一段高く奥行き方向に向かって形成されている。
【００８３】
そして、上面段差部１０８ａ上にレール装置２０２が配設されている。またレール装置２０２が固定される内箱１１０の側壁面部には側面段差部１１０ａが形成されている。側面段差部１１０ａは冷凍室１０４内の上部側壁面部よりも外箱１１２側へ凹んで形成され壁厚が薄くなっている。
【００８４】
これにより、レール装置２０２を上面段差部１０８ａに載置するので、収納空間内に飛び出すレール装置２０２を抑制することができ、冷凍室１０４内に容器２０６の全幅寸法を大きくでき、無効空間を低減することができるとともに、レール装置２０２の仕切壁１０８への取付作業性を向上できる。
【００８５】
次に、冷蔵庫の内箱１１０とレール装置２０２の取付について、引出式の貯蔵室のうち野菜室１０３を例に説明する。図８は、本発明の実施の形態１における冷蔵庫の野菜室における内箱とレール装置の取付部を示す断面図である。
【００８６】
図８に示すように、最下部に形成された野菜室１０３のレール保持部材２８０は断熱材１１１内に配置されている。キャビネットレール２２２に一体に形成されたレール取付部２２３が、内箱１１０の底部の両側に設けられた底面段差部４０１ａの上部に面で当接するように配設され、第１の鉤形状部２３１により固定される。
【００８７】
レール保持部材２８０は、略Ｌ字状であり、横フランジ部であるレール保持部２８０ａと縦フランジ部である補強手段２８０ｂとを備えている。レール保持部２８０ａは、内箱１１０の底面部に密着し、補強手段２８０ｂは内箱１１０の底面部に密着している。補強手段２８０ｂの先端部分は内箱１１０から離れる方向で、側方に向かう折れ曲がりが形成されている。
【００８８】
このように、レール保持部材２８０を略Ｌ字状とすることで、レール保持部材２８０自体の強度が向上する。さらに、補強手段２８０ｂが内箱１１０の側面に当接すること、補強手段２８０ｂの先端部分が断熱材１１１内に食らい込むことにより、レール保持部２８０ａにかかる荷重が分散し、底面段差部４０１ａの変形を防止することができる。また、補強手段２８０ｂを内箱１１０の側面に沿って設けることで、外箱１１２と内箱１１０との間に発泡断熱材を充填する際にも、発泡断熱材の流れを阻害することがない。
【００８９】
また、最下段の野菜室１０３の引出扉２０１は上段の冷凍室１０４の引出扉２０１よりも下方にあり、利用者が引出扉２０１を引出した時に、位置的に最下段にある野菜室１０３の引出扉２０１に体重をかけやすい位置にあり、収納量の負荷以外に外部の負荷量もかかる虞があり、レール保持部材２８０を略Ｌ字状のレール保持部２８０ａと下フランジ部となる補強手段２８０ｂとを一体に形成したので、最下段の引出扉２０１のレール装置２０２の倒れ込み防止として、より強固に保つことができる。
【００９０】
冷凍室１０４、野菜室１０３ともに側面段差部１１０ａによって側面の壁厚が薄くなっているので、真空断熱材（図示しない）をレール装置２０２が配設される部分に対応させて、具体的には冷凍室１０４と野菜室１０３のレール装置２０２間よりも高さ寸法が大きい真空断熱材を外箱１１２に貼り付けることで断熱性を確保することもできる。
【００９１】
以上のように本実施の形態では、レール装置２０２のキャビネットレール２２２に設けた第１の鉤形状部２３１を、断熱箱体１０１に形成される貯蔵室の底面の後方凹部２５１に挿入したのち、後方突起部２５３をキャビネットレール２２２の下面と第１の鉤形状部２３１の水平部２３１ｂとの間に挿入することで、レール装置２０２を断熱箱体１０１に固定できる。
【００９２】
これによれば、あらかじめ引出扉２０１に取り付けたレール装置２０２を容易に断熱箱体１０１に、取り付け、取り外すことができるので、レール装置の取り付け性、取り外し性を向上できる。また、固定レールと移動レールとを予め組み込んだ状態のレール装置２０２を適用することが容易となるので、固定レールと移動レールとのクリアランスを小さくすることができ、ガタの少ない高品位な引出しを構成することができる。
【００９３】
特に、第１の鉤形状部２３１を、キャビネットレール２２２の端部に設けることで、第１の鉤形状部２３１をキャビネットレール２２２に容易に一体成形できる。さらに、第１の鉤形状部２３１がキャビネットレール２２２の端部にあるので、第１の鉤形状部２３１を、貯蔵室の底面の奥側に斜め上方から差し込むことが容易となり、レール装置２０２の
断熱箱体１０１への取り付け性、取り外し性を向上できる。
【００９４】
さらに、キャビネットレール２２２側に突起部を設けることで、仕切壁１０８の上面段差部１０８ａや内箱１１０の底面段差部４０１ａに凹部を設けるのみで、突起部を設ける必要がないため、貯蔵室に広い実収納容積を確保することができる。
【００９５】
さらに、中央突起部２３２を前方凹部２５２に嵌めることにより、レール装置２０２が第１の鉤形状部２３１を中心として、左右に振れることを防止できる。このため、左右のレール装置２０２が互いに平行となるので、滑らかに移動レールが摺動し、引出扉２０１を引き出す際の操作力を低減することができる。
【００９６】
さらに、レール装置２０２を、引出扉２０１の上下方向中央部より下方に設けたことで、キャビネットレール２２２の後端を、貯蔵室の底面の奥側に斜め上方から差し込むことが容易となり、レール装置２０２の断熱箱体１０１への取り付け性、取り外し性を向上できる。
【００９７】
また、レール装置２０２を、引出扉２０１の上下方向中央部より下方に設けたことで、容器２０６の側面の大部分は、凹凸が形成されていない平坦な形状となる。これにより、容器２０６の側面に沿って前方から後方へと流れる冷却冷気の風路抵抗を低減できる。この結果、冷却ファン（図示せず）の入力を低減でき、冷蔵庫の省エネルギー化が図れる。また、側面がフラットな形状となるため意匠性が向上する。また、引出扉２０１とともに容器２０６を引き出した際に、容器２０６内の冷気の容器２０６外、つまり、野菜室１０３外への流出を低減でき、冷蔵庫の省エネルギー化が図れる。
【００９８】
さらに、容器２０６は扉フレーム２０５によって底部で保持されることとなるため、レール装置２０２が容器２０６の側方の空間を上下に分断することがなく、上下の温度差や対流溜まりによる結露や着霜が発生することがない。
【００９９】
なお、中央突起部２３２と前方凹部２５２とを省略し、第１の鉤形状部２３１と後方凹部２５１のみにより、レール装置２０２を固定するものとしてもよい。
【産業上の利用可能性】
【０１００】
以上のように、本願発明にかかる冷蔵庫は、広い実収納空間を確保することができるので、引き出し式の貯蔵室を備える冷蔵庫に利用可能であり、さらに、引き出しを備えたユニットキッチンなど高品位・意匠デザイン性が求められる分野にも展開が可能である。
【符号の説明】
【０１０１】
１００  冷蔵庫
１０１  断熱箱体
１０２  冷蔵室
１０３  野菜室（貯蔵室）
１０４  冷凍室（貯蔵室）
１０５  製氷室
１０６  切換室
１０７  断熱扉
１０８  仕切壁
１０８ａ  上面段差部
１１０  内箱
１１０ａ  側面段差部
１１１  断熱材
１１２  外箱
１４５  回転支持部材
１４６  回転支持部材保持部
２０１  引出扉
２０１ａ  手掛部
２０２  レール装置
２０３  トップレール（移動レール）
２０５  扉フレーム（扉支持部材）
２０６  容器
２０７  パッキン
２１１  内側板
２２１  ミドルレール（移動レール）
２２２  キャビネットレール（固定レール）
２２３  レール取付部
２３１  第１の鉤形状部
２３２  中央突起部
２３３  第２の鉤形状部
２３４  固定穴
２４１  折曲部
２５１  後方凹部
２５２  前方凹部
２５３  後方突起部
２７０、２８０  レール保持部材
２７０ａ、２８０ａ  レール保持部
２７０ｂ、２８０ｂ  補強手段
２８１  拡大部
２８２  上面部
２８３  側面部
２８４  本体部
２８５  フランジ部
２８５ａ  フランジ切欠部
２８６  矩形穴
２８７  丸穴
２８８  本体切欠部
３３４ｅ  固定穴
３３４ｄ  取付ネジ
３２９  野菜室扉
４０１ａ  底面段差部
【図４】
2013204829.tif 000003
【図５】
2013204829.tif 000004
【図６】
2013204829.tif 000005
【図９】
2013204829.tif 000006
【図１】
2013204829.tif 000007
【図２】
2013204829.tif 000008
【図３】
2013204829.tif 000009
【図７】
2013204829.tif 000010
【図８】
2013204829.tif 000011